(57)【要約】【課題】良縁成就並びに相思相愛用のお守りとして相応しい形態とすると共に、容器を振ることにより、その内部に収納した２個の南蛮紅小豆の種子が擦れ合ったりぶつかり合って軽やかな音を発するようにし、もって雰囲気を高めるようにする。【解決手段】収納物を出し入れ可能な透明な容器２、３を、２個一組として良縁成就並びに相思相愛用のお守り本体１を構成する。一方の容器２をハート形、もう一方の容器３をスペード形にする。一方の容器２内に、相思相愛の木と称される南蛮紅小豆の種子４、５を２個一組として収納する。該南蛮紅小豆の種子４、５は、容器２の内部で変位可能な状態で収納する。【選択図】図１
0003148771.tif 000002
【実用新案登録請求の範囲】
【請求項１】
収納物を出し入れ可能な透明な容器を２個一組とし、これら容器のうちの一方の容器内に、相思相愛の木と称される南蛮紅小豆の種子を２個一組として、これらが内部で変位可能な状態に収納してなることを特徴とする良縁成就並びに相思相愛用のお守り。
【請求項２】
容器を、樹脂を素材とする本体部と蓋部で構成し、該本体部と蓋部の合わせ目に、そのいずれか一方に先端が膨大した係合突起を、他方に該係合突起と係合する入口が窄まった係合孔を設け、更に合わせ目の適所に抉じ開け用切欠部を設けた容器としてなる請求項１記載の良縁成就並びに相思相愛用のお守り。
【請求項３】
容器を、その一方をハート形、もう一方をスペード形となした請求項１又は２記載の良縁成就並びに相思相愛用のお守り。
【請求項４】
容器にストラップを取り付けてなる請求項１、２又は３記載の良縁成就並びに相思相愛用のお守り。
【請求項５】
一方の空の容器内に、青・黄・赤・白・黒色又は青・黄・赤・白・紫色からなる五色の紐又は糸を束ねて一つにしたものを２束一組として収納してなる請求項１、２、３又は４記載の良縁成就並びに相思相愛用のお守り。
【請求項６】
一方の空の容器内に、青・黄・赤・白・黒色又は青・黄・赤・白・紫色からなる五色の紙片を一まとめにしたものを２部一組として収納してなる請求項１、２、３又は４記載の良縁成就並びに相思相愛用のお守り。
【考案の詳細な説明】
【技術分野】
【０００１】
本考案は神社等において販売される良縁成就並びに相思相愛用のお守りに関するものである。
【背景技術】
【０００２】
神社や寺で販売されるお守りは、各種の願い事に対応したお守りが作られるが、家内安全、学業向上、交通安全、商売繁盛などが一般的である。また、どこにでもあるという訳ではないが、良縁成就用のお守りも一部の神社や寺において参拝者に授与されている。尚、該良縁成就用のお守りは、未だ良い出会いに恵まれず、恋人が未だ出来ていない人が、恋人が早く出来るようにと願う縁結びのお守りであり、現在相思相愛の幸福なカップルが、末永く今の状態が続くようにと願う相思相愛用のお守りではない。
【０００３】
そして、従来一般的な家内安全、学業向上、交通安全、商売繁盛などのお守りも、また一部において授与されている良縁成就用のお守りも、夫々の願い事をあらわす文字が書かれた紙、又は板を薄い布袋に入れただけのものであり、恋愛といったロマンチックな雰囲気には馴染まないものであることから、本考案者はこれに相応しい印象を与えることができる構成について鋭意研究を重ねてきた。
【考案の開示】
【考案が解決しようとする課題】
【０００４】
そこで、恋愛は男性と女性との間の、つまり二人で成り立つものであることから、夫々で持ち合うためにお守り本体を構成する容器を２個一組とし、そしてまた、該容器は透明で中が見えるようにし、そして更に、該容器内に収納するものとして、恋愛に相応しい相思相愛の木と称される南蛮紅小豆の種子を２個一組として用いることにより、その形態や収納物の謂れ等から良縁成就並びに相思相愛用のお守りとして相応しい雰囲気を醸し出すことができることを知見した。尚、前記南蛮紅小豆の種子は、真っ赤な色でハート形をなし、而も光沢があって、見た目にも情熱的で愛を強くイメージさせることができるものである。そしてまた、この２個の南蛮紅小豆の種子は、容器の内部で変位可能な状態とすることにより、容器が動くたびに内部で揺れ動き、そしてこれを外部から視認でき、且つまた振ると擦れ合ったりぶつかり合って軽やかな音のハーモニーを醸し出すことから、更に効果的であることを知見した。
【０００５】
而して、本考案は上記の知見を基にして完成したものであり、ここに良縁成就並びに相思相愛用のお守りとして相応しい雰囲気を醸し出すことができるようにしたお守りを提供しようとするものである。
【課題を解決するための手段】
【０００６】
而して、本考案の要旨とするところは、収納物を出し入れ可能な透明な容器を２個一組とし、これら容器のうちの一方の容器内に、相思相愛の木と称される南蛮紅小豆の種子を２個一組として、これらが内部で変位可能な状態に収納してなることを特徴とするお守りにある。
【０００７】
また、上記構成において、容器を、樹脂を素材とする本体部と蓋部で構成し、該本体部と蓋部の合わせ目に、そのいずれか一方に先端が膨大した係合突起を、他方に該係合突起と係合する入口が窄まった係合孔を設け、更に合わせ目の適所に抉じ開け用切欠部を設けた容器としてもよい。
【０００８】
また、上記構成において、容器を、その一方をハート形、もう一方をスペード形となしてもよい。
【０００９】
また、上記構成において、容器にストラップを取り付けるようにしてもよい。
【００１０】
また、上記構成において、一方の空の容器内に、青・黄・赤・白・黒色又は青・黄・赤・白・紫色からなる五色の紐又は糸を束ねて一つにしたものを２束一組として収納するようになしてもよい。
【００１１】
また、上記構成において、一方の空の容器内に、青・黄・赤・白・黒色又は青・黄・赤・白・紫色からなる五色の紙片を一まとめにしたものを２部一組として収納するようになしてもよい。
【考案の効果】
【００１２】
本考案は、上記の如き構成であり、恋愛は男性と女性との間の、つまり二人で成り立つものであることから、夫々で持ち合うためにお守り本体を構成する容器を２個一組とし、そしてまた、該容器は透明で中が見えるようにし、そして更に、該容器内に収納するものとして、恋愛に相応しい相思相愛の木と称される南蛮紅小豆の種子を２個一組として用いたことにより、その形態や収納物の謂れ等から良縁成就並びに相思相愛用のお守りとして相応しい雰囲気を醸し出すことができるものである。尚、前記南蛮紅小豆の種子は、真っ赤な色でハート形をなし、而も光沢があって、見た目にも情熱的で愛を強くイメージさせることができるものである。そしてまた、この２個の南蛮紅小豆の種子は、容器の内部で変位可能な状態であるから、容器が動くたびに内部で揺れ動き、そしてこれを外部から視認でき、且つまた振ると擦れ合ったりぶつかり合って軽やかな音のハーモニーを醸し出すことから、より一層雰囲気が向上するものである。そしてまた、以上の効果を奏することから、商品としてのお守りを授与する側の神社等においては、多くの数量を期待することができ、収益の向上を図ることができるものである。更には、布教、教化に利するところ多く、善導する上で著効を奏するものである。
【００１３】
また、容器を、樹脂を素材とする本体部と蓋部で構成し、該本体部と蓋部の合わせ目に、そのいずれか一方に先端が膨大した係合突起を、他方に該係合突起と係合する入口が窄まった係合孔を設け、更に合わせ目の適所に抉じ開け用切欠部を設けた容器とした場合には、内容物を出し入れするときに容易に開閉することができると共に、一旦閉じたときには、振動等によって勝手に開くことがないようにすることができるものである。
【００１４】
また、容器を、その一方をハート形、もう一方をスペード形となした場合には、より一層良縁成就用のお守りとしてのイメージを高めることができるものである。
【００１５】
また、容器にストラップを取り付けた場合には、携帯電話やキーホルダー等につけて持ち歩くことができ、落として紛失してしまう虞をなくすることができるものである。
【００１６】
また、一方の空の容器内に、青・黄・赤・白・黒色又は青・黄・赤・白・紫色からなる五色の紐又は糸を束ねて一つにしたものを２束一組として収納した場合には、青・黄・赤・白・黒色又は青・黄・赤・白・紫色の五種の色は五色（ごしき）と称され、宗教上において運気の向上や厄除け等の利益の取得といった意義を有するものとされていることから、更に一層良縁成就並びに相思相愛用のお守りとしてのイメージを高めることができるものである。
【００１７】
また、一方の空の容器内に、青・黄・赤・白・黒色又は青・黄・赤・白・紫色からなる五色の紙片を一まとめにしたものを２部一組として収納した場合には、前記五色の紐又は糸を束ねて一つにしたもの収納した場合と同様の理由により、更に一層良縁成就並びに相思相愛用のお守りとしてのイメージを高めることができるものである。
【考案を実施するための最良の形態】
【００１８】
以下、本考案に係るお守りを実施するための最良の形態について、図面を参照して説明する。
【００１９】
図１は本考案の第１実施形態に係る良縁成就並びに相思相愛用のお守りの正面図、図２は図１中Ｉ−Ｉ線拡大断面図、図３は図２中Ａ部分の拡大図、図４は蓋を開いた状態の一方の容器の斜視図、図５は一方の空の容器内に収納する収納物の正面図、図６は一方の空の容器内に収納する収納物の他の例の正面図である。
【００２０】
図中、１は良縁成就並びに相思相愛用のお守り本体であり、２個一組の容器２、３から構成されるものである。また、該容器２、３は収納物を出し入れ可能な透明な容器であり、本実施形態においては、一方の容器２をハート形、もう一方の容器３をスペード形になしている。そしてまた、該容器２、３は、樹脂を素材とする本体部と蓋部で構成し、該本体部と蓋部の合わせ目に、そのいずれか一方に先端が膨大した係合突起を、他方に該係合突起と係合する入口が窄まった係合孔を設け、更に合わせ目の適所に抉じ開け用切欠部を設けてなるものであり、これを本実施形態について説明する。
【００２１】
前記容器２、３は同一の構成であるから、図２乃至図４に示した一方の容器２についてのみ説明すると、該容器２は、樹脂を素材とする本体部２Ａと蓋部２Ｂで構成し、該本体部２Ａと蓋部２Ｂの合わせ目に、本体部２Ａ側に先端が膨大した係合突起２ａを、蓋部２Ｂ側に該係合突起２ａと係合する入口が窄まった係合孔２ｂを設け、更に合わせ目の適所、本実施形態においては下端中央に抉じ開け用切欠部２ｃ、２ｄを設けてなるものである。
【００２２】
また、本実施形態に係るお守り１は、懐中用として構成してなるものであるが、上端部にはストラップ取付用の環状部２ｅも一体的に形成している。
【００２３】
４、５は前記容器２、３のうちの一方の容器、本実施形態においては容器２内に収納した、相思相愛の木と称される南蛮紅小豆の種子であり、２個一組としている。そして、これらを一方の容器、本実施形態においては容器２の内部に変位可能な状態に収納してなるものである。
【００２４】
次に、本実施形態に係るお守りの使用方法について説明する。
神社等において、未だ恋人が出来ていない人は「恋人が早く出来るように」と、また現在相思相愛の幸福なカップルにあっては「末永く今の状態が続くように」と祈願した後、本考案に係るお守り本体１の授与を受ける。そして、購入した人が女性である場合には、ハート形の容器２内に２個一組の南蛮紅小豆の種子４、５を収納して携帯するものである。尚、購入した人が男性である場合には、２個一組の南蛮紅小豆の種子４、５はスペード形の容器３内に収納する。そして、未だ恋人が出来ていない人に恋人が出来たときには、容器２の蓋部２Ｂを開けて２個一組のうちの一方の南蛮紅小豆の種子４又は５を取り出し、もう一方の容器３に移すものである。そして、これらの容器２、３をカップルになった両者が夫々持ち合い、互いの愛のあかしとするものである。また、現在相思相愛の幸福なカップルにあっては、神社又は寺から授与を受けたらすぐに一方の容器２から南蛮紅小豆の種子４、５の一方を他方の容器３に移し、両者が夫々の容器２、３を持ち合うものである。
【００２５】
また、容器２を開くときには、抉じ開け用切欠部２ｃ、２ｄに爪等を掛けて抉じ開けるものであり、そして、閉じるときには、本体部２Ａと蓋部２Ｂの合わせ目を閉じ合わせるものであり、このとき本体部２Ａ側に設けてなる先端が膨大した係合突起２ａが、蓋部２Ｂ側に設けてなる入口が窄まった係合孔２ｂに嵌入して係合するものである。
【００２６】
また、上記実施形態において、一方の空の容器３又は２内に、図５に示す如き、青・黄・赤・白・黒色からなる五色の紐又は糸を束ねて一つにしたもの６、７を２束一組８として収納するようになしてもよい。このようになした場合には、更に一層良縁成就並びに相思相愛用のお守りとしてのイメージを高めることができるものである。尚、６ａ、７ａは青色の紐又は糸、６ｂ、７ｂは黄色の紐又は糸、６ｃ、７ｃは赤色の紐又は糸、６ｄ、７ｄは白色の紐又は糸、６ｅ、７ｅは黒色又は紫色の紐又は糸であり、本実施形態ではこれらを束ねて輪状に丸め、両端部を結束している。
【００２７】
斯かる場合においては、祈願が成就して一方の容器２又は３から他方の容器３又は２に２個一組のうちの一方の南蛮紅小豆の種子４又は５を移すとき、２束一組８のうちの一方の五色の紐又は糸の束６又は７を他方の容器２又は３に移すものである。したがって、両方の容器２、３のいずれにも南蛮紅小豆の種子４又は５と一方の五色の紐又は糸の束６又は７が収納されることになるものである。
【００２８】
また、上記実施形態において、一方の空の容器３又は２内に、図６に示す如き、青・黄・赤・白・黒色からなる五色の紙片を一まとめにしたもの９、１０を２部一組１１として収納するようになしてもよい。このようになした場合には、前記五色の紐又は糸を束ねて一つにしたもの収納した場合と同様の理由により、更に一層良縁成就並びに相思相愛用のお守りとしてのイメージを高めることができるものである。尚、９ａ、１０ａは青色の紙片、９ｂ、１０ｂは黄色の紙片、９ｃ、１０ｃは赤色の紙片、９ｄ、１０ｄは白色の紙片、９ｅ、１０ｅは黒色又は紫色の紙片であり、本実施形態では五色の紙片は夫々透明な樹脂袋９Ａ、１０Ａに収納して一まとめになしている。
【００２９】
斯かる場合における使用方法は、前記五色の紐又は糸を束ねて一つにしたものを収納した場合と同様であるから、その説明は省略する。
【００３０】
次に、図７に示した本考案の第２実施形態に係る良縁成就並びに相思相愛用のお守りについて説明する。
本実施形態と前記第１実施形態とは、本実施形態において容器にストラップを取り付けた点において相違するものである。尚、その他の構成並びに使用方法等は同様であるから、同一の部材には同一の符号を付して詳細な説明は省略する。
【００３１】
而して、本実施形態は、上記の如く良縁成就並びに相思相愛用のお守り本体１を構成する容器２、３に、ストラップ１２、１３を取り付けてなるものである。これにより携帯電話やキーホルダー等につけて持ち歩くことができ、落として紛失してしまう虞をなくすることができるものである。
【図面の簡単な説明】
【００３２】
【図１】本考案の第１実施形態に係る良縁成就並びに相思相愛用のお守りの正面図である。
【図２】図１中Ｉ−Ｉ線拡大断面図である。
【図３】図２中Ａ部分の拡大図である。
【図４】蓋を開いた状態の一方の容器の斜視図である。
【図５】一方の空の容器内に収納する収納物の正面図である。一方の空の容器内に収納する収納物の他の例の正面図で図２中Ａ部分の拡大図である。
【図６】一方の空の容器内に収納する収納物の他の例の正面図である。
【図７】本考案の第２実施形態に係る良縁成就並びに相思相愛用のお守りの正面図である。
【符号の説明】
【００３３】
１  良縁成就並びに相思相愛用のお守り本体
２、３  容器
２Ａ  容器の本体部
２Ｂ  容器の蓋部
２ａ  係合突起
２ｂ  係合孔
２ｃ、２ｄ  抉じ開け用切欠部
２ｅ  ストラップ取付用の環状部
４、５  南蛮紅小豆の種子
６、７  五色の紐又は糸を束ねて一つにしたもの
８  五色の紐又は糸を束ねて一つにしたものの２束一組
９、１０  五色の紙片を一まとめにしたもの
１１  五色の紙片を一まとめにしたものの２部一組
１２、１３  ストラップ
【図１】
0003148771.tif 000003
【図２】
0003148771.tif 000004
【図３】
0003148771.tif 000005
【図４】
0003148771.tif 000006
【図５】
0003148771.tif 000007
【図６】
0003148771.tif 000008
【図７】
0003148771.tif 000009